(57)【要約】【課題】  イジェクト時において記録ディスクをディスクスロット近傍の適切な位置で停止させることを簡単な構成で実現する。【解決手段】  記録ディスク１がディスクドライブ１０内に装着されていないときには、シャッター板１６を開き、ディスク通路１４を開通させる。記録ディスク１がディスクドライブ１０内に装着されているときには、シャッター板１６を閉じ、ディスク通路１４を遮断する。記録ディスク１をイジェクトするときには、シャッター板１６の上端部１６Ａを記録ディスク１の下面１Ａに接触させ、記録ディスク１をスロット１３近傍の適切な位置に停止させる。【選択図】      図４
2007102882.tif 000002
【特許請求の範囲】
【請求項１】
記録ディスクのローディングおよびイジェクトを行うために記録ディスクを通過させるディスク通路を有するディスクドライブ本体に設けられ、前記ディスク通路を開閉するシャッター装置であって、
シャッター板と、
前記シャッター板と前記ディスクドライブ本体との間に設けられ、前記シャッター板の上端部が上下方向に移動可能となるように前記シャッター板を支持する支持部材と、
前記シャッター板の上端部の上下方向における位置を遮断位置、開通位置および中間位置のいずれかに変更可能に決定する位置決め機構とを備え、
前記遮断位置は、前記ディスク通路の上側に存在し、前記ディスク通路を前記記録ディスクが通過するのを前記シャッター板により遮る位置であり、
前記開通位置は、前記ディスク通路の下側に存在し、前記ディスク通路を通過する前記記録ディスクの下面と前記シャッター板の上端部との間に空隙が形成される位置であり、
前記中間位置は、前記遮断位置と前記開通位置との間に存在し、前記ディスク通路を通過する前記記録ディスクの下面と前記シャッター板の上端部とが接触する位置であることを特徴とするシャッター装置。
【請求項２】
前記位置決め機構は、前記シャッター板を上下方向に移動させることを特徴とする請求項１に記載のシャッター装置。
【請求項３】
前記位置決め機構は、前記シャッター板の傾きを変化させることを特徴とする請求項１に記載のシャッター装置。
【請求項４】
前記支持部材は、前記シャッター板の左側端部を挿入するための上下方向に長い溝が形成された第１支持板と、前記シャッター板の右側端部を挿入するための上下方向に長い溝が形成された第２支持板とを備えていることを特徴とする請求項１に記載のシャッター装置。
【請求項５】
前記位置決め機構はカム板を備え、
前記カム板には、前記遮断位置、開通位置および中間位置にそれぞれ対応する縁部を有するカム溝が形成され、
前記シャッター板は、一端側が当該シャッター板に固定され、他端側が前記カム溝に挿入されるピンを備えていることを特徴とする請求項１に記載のシャッター装置。
【請求項６】
前記シャッター板は、当該シャッター板の左側に固定され左方向に伸びる第１支軸と、当該シャッター板の右側に固定され右方向に伸びる第２支軸とを備え、
前記支持部材は、前記第１支軸を挿入するための上下方向に長い溝が形成された第１支持板と、前記第２支軸を挿入するための上下方向に長い溝が形成された第２支持板とを備え、前記支持部材は、前記シャッター板を上下動可能にかつ回動可能に支持することを特徴とする請求項１に記載のシャッター装置。
【請求項７】
前記位置決め機構により前記シャッター板の上端部が前記遮断位置に決定されているとき、前記シャッター板の回動を阻止する回動阻止部を備えていることを特徴とする請求項６に記載のシャッター装置。
【発明の詳細な説明】
【技術分野】
【０００１】
本発明は、例えばＤＶＤドライブやＣＤ（Compact Disc）ドライブなどのスロットイン方式のディスクドライブに用いられ、ディスクのローディングおよびイジェクトを行うための通路を開閉するシャッター装置に関する。
【背景技術】
【０００２】
ＤＶＤ、ＣＤ、ブルーレイディスク、磁気ディスクなどの記録ディスクに対し、情報の読み取りまたは書き込みを行うディスクドライブは、ディスクプレーヤ、ディスクレコーダ、オーディオシステム、パーソナルコンピュータ、カーナビゲーションシステムなど様々な装置に用いられている。
【０００３】
ディスクドライブには、一般的な光ディスクドライブのように、記録ディスクを着脱することができるタイプと、一般的なハードディスクドライブのように、記録ディスクを着脱することができないタイプがある。さらに、記録ディスクを着脱することができるタイプのディスクドライブには、記録ディスクの着脱方式に関し、スロットイン方式、ドロアー方式、トレー方式などがある。
【０００４】
スロットイン方式のディスクドライブにおけるローディング動作は、例えば次の通りである。ユーザーは、記録ディスクの端部をディスクスロットに挿入し、この記録ディスクをディスクドライブの内部に向けて軽く押し込む。すると、ディスクドライブは、例えばローディングアームなどのローディング機構によって記録ディスクをディスクドライブの内部に引き込み、記録ディスクの中心がターンテーブル上に位置するまで記録ディスクを搬送する。続いて、ディスクドライブは、記録ディスクをターンテーブル上に固定（クランプ）する。
【０００５】
また、スロットイン方式のディスクドライブにおけるイジェクト動作は、例えば次の通りである。ディスクドライブ内のターンテーブル上にクランプされた記録ディスクをイジェクト（排出）する旨の指示が発せられると、これに応じて、ディスクドライブは、記録ディスクのクランプを解除する。続いて、ディスクドライブは、例えばイジェクトアームなどのイジェクト機構により、記録ディスクを、ディスクスロットを通してディスクドライブの外側へ押し出す。
【０００６】
また、スロットイン方式のディスクドライブには、ディスクスロット近傍にシャッターが設けられているものがある。このシャッターは、ディスクドライブ内に記録ディスクが装着されている間、閉じている。これにより、ディスクドライブ内に記録ディスクが装着されている間に、別の記録ディスクがディスクドライブ内に挿入されるのを防止することができる。また、このシャッターは、何らかの事故により、ディスクドライブ内で回転している記録ディスクが、ディスクドライブから外へ飛び出すのを防止する機能も果たす。
【発明の開示】
【発明が解決しようとする課題】
【０００７】
ところで、スロットイン方式のディスクドライブのイジェクト時には、イジェクト機構によってディスクドライブ内から外側へ押し出された記録ディスクを、ディスクスロット近傍の適切な位置で停止させることが望ましい。例えば、記録ディスクにおいて、その表面面積のおよそ５分の３ないし４分の３程度に相当する部分をディスクスロットから外に露出させ、残りの部分をディスクドライブ内に留めた状態で、記録ディスクを停止させることが望ましい。これにより、イジェクト時に、記録ディスクがディスクスロットから外へ脱落するのを防止することができ、かつ、ユーザーがイジェクトされた記録ディスクを手で取り出しやすくすることができる。
【０００８】
現在普及しているディスクドライブでは、イジェクト開始により駆動を開始したイジェクト機構の駆動を適切なタイミングで停止させることにより、記録ディスクをディスクスロット近傍の適切な位置に停止させるものが多い。
【０００９】
しかし、モーター、ギア列、ローラーなどといったイジェクト機構を構成している駆動要素の時定数などを考慮しつつ、記録ディスクを適切な位置に停止させることは容易でない。
【００１０】
本発明は上記に例示したような問題点に鑑みなされたものであり、本発明の課題は、イジェクト時において記録ディスクをディスクスロット近傍の適切な位置で停止させることを簡単な構成で実現することができるディスクドライブのシャッター装置を提供することにある。
【課題を解決するための手段】
【００１１】
上記課題を解決するために請求項１に記載のシャッター装置は、記録ディスクのローディングおよびイジェクトを行うために記録ディスクを通過させるディスク通路を有するディスクドライブ本体に設けられ、前記ディスク通路を開閉するシャッター装置であって、シャッター板と、前記シャッター板と前記ディスクドライブ本体との間に設けられ、前記シャッター板の上端部が上下方向に移動可能となるように前記シャッター板を支持する支持部材と、前記シャッター板の上端部の上下方向における位置を遮断位置、開通位置および中間位置のいずれかに変更可能に決定する位置決め機構とを備え、前記遮断位置は、前記ディスク通路の上側に存在し、前記ディスク通路を前記記録ディスクが通過するのを前記シャッター板により遮る位置であり、前記開通位置は、前記ディスク通路の下側に存在し、前記ディスク通路を通過する前記記録ディスクの下面と前記シャッター板の上端部との間に空隙が形成される位置であり、前記中間位置は、前記遮断位置と前記開通位置との間に存在し、前記ディスク通路を通過する前記記録ディスクの下面と前記シャッター板の上端部とが接触する位置である。
【発明を実施するための最良の形態】
【００１２】
以下、本発明の実施の形態について図面を参照しながら説明する。
【００１３】
図１は、本発明の実施形態であるシャッター装置を搭載したディスクドライブを示している。図１中のディスクドライブ１０は、例えばＤＶＤ、ＣＤ、ブルーレイディスクなどの記録ディスク１に対し、情報の読み取りまたは書き込みを行う装置である。ディスクドライブ１０は、記録ディスクを着脱することができるタイプであり、また、記録ディスクの着脱方式についてスロットイン方式を採用している。
【００１４】
なお、ディスクドライブ１０は、光ディスクドライブであるが、本発明のシャッター装置は、光ディスクドライブに限らず、磁気ディスクドライブ、光磁気ディスクドライブなど、種々の情報読み取り方式または種々の情報書き込み方式を採用したディスクドライブに適用することができる。
【００１５】
また、ディスクドライブ１０は、裸の記録ディスクを取り扱うタイプのディスクドライブであるが、本発明のシャッター装置は、裸の記録ディスクを取り扱うタイプのディスクドライブに限らず、例えばＤＶＤ−ＲＡＭ（DVD-Random Access Memory）やＭＤ（Mini Disc）など、記録ディスクがカートリッジに収容されている、いわゆるカートリッジ式記録ディスクを取り扱うタイプのディスクドライブにも適用することができる。
【００１６】
さらに、ディスクドライブ１０は、１種類の記録ディスクに対して情報の読み取り・書き込みを行うタイプのディスクドライブでもよいし、多種類の記録ディスクに対して情報の読み取り・書き込みを行うタイプのディスクドライブ、いわゆるマルチディスクドライブでもよい。また、ディスクドライブ１０は、異なる直径（例えば１２ｃｍと８ｃｍ）の記録ディスクを取り扱うことができるタイプのディスクドライブでもよい。
【００１７】
図１に示すように、ディスクドライブ１０は、ハウジング１１およびフロントカバー１２を備えており、フロントカバー１２にはスロット１３が形成されている。スロット１３は、記録ディスク１のローディングおよびイジェクトを行うために記録ディスク１を通過させる溝である。スロット１３のスロット形状は、記録ディスク１の通過を可能にする程度に、上下方向に短く、左右方向に長い。
【００１８】
また、ハウジング１１内には、ディスク通路１４およびシャッター装置１５が設けられている（図２参照）。さらに、ハウジング１１内には、ローディング機構、イジェクト機構、クランプ機構、ターンテーブル、スピンドルモーターおよび光ピックアップなどが設けられている（いずれも図示せず）。なお、ハウジング１１、フロントカバー１２、ディスク通路１４、ローディング機構、イジェクト機構、クランプ機構、ターンテーブル、スピンドルモーターおよび光ピックアップなどを含む構造体がディスクドライブ本体に当たる。また、以下の説明では、図１中の矢示Ｘ方向を左右方向といい、矢示Ｙ方向を前後方向といい、矢示Ｚ方向を上下方向という。
【００１９】
図２は、ディスクドライブ１０を図１中の矢示Ａ−Ａ方向から見た断面図である。図２中のディスク通路１４は、記録ディスク１のローディングおよびイジェクトを行うために記録ディスク１を通過させる通路である。ディスク通路１４は、スロット１３と接続されている。ディスク通路１４は、スロット１３のスロット形状とほぼ一致するように左右方向および上下方向に広がっており、さらに、スロット１３からハウジング１１の後ろ側に向けて前後方向に広がっている。
【００２０】
シャッター装置１５は、ディスクドライブ本体に設けられ、ディスク通路１４を開閉する装置である。さらに、シャッター装置１５は、記録ディスク１のイジェクト時に、記録ディスク１をスロット１３近傍の適切な位置で停止させる機能をも備えている。
【００２１】
図２に示すように、シャッター装置１５は、シャッター板１６、支持板１７およびカム板１８を備えている。
【００２２】
シャッター板１６は、ディスク通路１４の開閉、およびイジェクト時における記録ディスク１のブレーキング（制動）を行う。シャッター板１６は、例えば樹脂材料あるいは金属材料などにより形成され、上下方向に短く、左右方向に長く、厚みの薄い板であることが望ましい。シャッター板１６の形状は、スロット１３のスロット形状とほぼ同様の長方形であり、シャッター板１６の表面の面積は、スロット１３のスロット面積と等しいか、またはスロット面積よりも一回り大きいことが望ましい。
【００２３】
なお、シャッター板１６の形状および面積はこれに限られない。記録ディスク１がディスク通路１４を通り抜けるのを阻止することができ、かつ、イジェクト時に記録ディスク１の下面に接触して記録ディスク１をスロット１３近傍の適切な位置に停止させることができれば、シャッター板１６の形状および面積を様々に設定することができる。
【００２４】
シャッター板１６の左側縁部および右側縁部には、支持突部１９をそれぞれ形成することが望ましい（図２では右側の支持突部のみを図示）。支持突部１９は、シャッター板１６が上下方向に移動可能となるように、シャッター板１６を支持板１７に支持させる。左側の支持突部１９の一端側はシャッター板１６の左側縁部に固定されており、他端側はシャッター板１６の左側縁部から左方向に所定長さ突出している。右側の支持突部１９の一端側はシャッター板１６の右側縁部に固定されており、他端側はシャッター板１６の右側縁部から右方向に所定長さ突出している。支持突部１９は、シャッター板１６と同一の材料を用いて、シャッター板１６と一体的に形成してもよいし、シャッター板１６と異なる材料を用いて、シャッター板１６に取り付けてもよい。
【００２５】
シャッター板１６の後面には、制御ピン２０を設けることが望ましい。制御ピン２０は、カム板１８と協働し、シャッター板１６の上下方向における位置を変更する。制御ピン２０の一端側はシャッター板１６の後面に固定されており、他端側はシャッター板１６の後面から後ろ方向に所定長さ突出している。制御ピン２０は、シャッター板１６と同一の材料を用いて、シャッター板１６と一体的に形成してもよいし、シャッター板１６と異なる材料を用いて、シャッター板１６に取り付けてもよい。
【００２６】
シャッター板１６の上端部１６Ａは、イジェクト時に記録ディスク１の下面１Ａと接触する。この接触によって記録ディスク１の下面１Ａが傷つくのを防止するために、シャッター板１６の上端部１６Ａに、例えばフェルトなどの柔らかい材料からなる緩衝シート（図示せず）を貼付してもよい。
【００２７】
支持板１７は、シャッター板１６とディスクドライブ本体との間に設けられ、シャッター板１６が上下方向に移動可能となるようにシャッター板１６を支持する。支持板１７は支持部材の具体例である。支持板１７は、例えば樹脂材料または金属材料などにより形成され、ハウジング１１内部においてハウジング１１の底板に固定されている。支持板１７は、左側および右側にそれぞれ設けられている（図２では右側の支持板１７のみを点線で図示）。左側の支持板１７は、シャッター板１６の左側縁部よりも左方向にわずかな距離離れた位置に配置されている。右側の支持板１７は、シャッター板１６の右側縁部よりも右方向にわずかな距離離れた位置に配置されている。支持板１７は、ハウジング１１の底板から上方向に立ち上がっている。
【００２８】
左側の支持板１７には支持溝２１が形成されている。この支持溝２１は、シャッター板１６の左側端部、すなわち左側の支持突部１９を挿入するための溝または穴である。右側の支持板１７にも支持溝２１が形成されている。この支持溝２１は、シャッター板１６の右側端部、すなわち右側の支持突部１９を挿入するための溝または穴である。支持溝２１の上下方向の長さは、支持突部１９の上下方向の長さよりも大幅に長い。これによりシャッター板１６の上下方向における移動を可能にしている。また、支持溝２１の前後方向における長さは、支持突部１９の前後方向における長さよりもわずかに長い。これにより、シャッター板１６が前後方向に大きく動くのを防止すると共に、シャッター板１６が上下方向にスムーズに移動可能となるように、支持突部１９が支持溝２１内で前後方向にわずかな遊びをもって嵌め込まれる状態を作り出している。
【００２９】
なお、支持板または支持部材の支持構造はこれに限られない。例えば、ハウジング１１の側面に長溝を形成することにより、支持板または支持部材をハウジング１１に一体化させてもよい。また、ハウジング１１の左側側面から２枚の薄板を右方向に突出させ、これら２枚の薄板間にシャッター板１６の左側端部を狭持し、ハウジング１１の右側側面から２枚の薄板を左方向に突出させ、これら２枚の薄板間にシャッター板１６の右側端部を狭持してもよい。
【００３０】
カム板１８は、シャッター板１６の上端部１６Ａの上下方向における位置を遮断位置Ｈ１、開通位置Ｈ２および中間位置Ｈ３のいずれかに変更可能に決定する。カム板１８は位置決め機構の具体例である。遮断位置Ｈ１は、図２において矢印で示すように、ディスク通路１４の上側に存在し、ディスク通路１４を記録ディスク１が通過するのをシャッター板１６により遮る位置である。開通位置Ｈ２は、ディスク通路１４の下側に存在し、ディスク通路１４を通過する記録ディスク１の下面とシャッター板の上端部１６Ａとの間に空隙が形成される位置である。中間位置Ｈ３は、遮断位置Ｈ１と開通位置Ｈ３との間に存在し、ディスク通路１４を通過する記録ディスク１の下面１Ａとシャッター板１６の上端部１６Ａとが接触する位置である。
【００３１】
カム板１８は、例えば樹脂材料または金属材料により形成された薄い板である。カム板１８は、シャッター板１６の後ろ側に配置されている。カム板１８は、ハウジング１１の底側から上方向に向けて立ち上がっているものの、カム板１８の上端部はディスク通路１４には達していない。カム板１８は、ハウジング１１の底板に固定されたガイド部材２２により、左右方向に移動可能に支持されている。
【００３２】
図５は、カム板１８を図２中の矢示Ｂ−Ｂ方向から見た拡大正面図である。図５に示すように、カム板１８には、カム溝２３が形成されている。カム溝２３は、上下方向の位置が互いに異なる３個の縁部２３Ａ、２３Ｂ、２３Ｃを有している。これら縁部２３Ａ、２３Ｂ、２３Ｃは、遮断位置Ｈ１、開通位置Ｈ２および中間位置Ｈ３にそれぞれ対応している。カム溝２３には、図２に示すように、制御ピン２０の他端側がわずかな遊びをもって挿入されている。
【００３３】
カム板１８が左右方向に移動すると、カム溝２３の縁部２３Ａ、２３Ｂ、２３Ｃの上下方向における位置の違いにより、制御ピン２０が上下方向に移動し、シャッター板１６が上下方向に移動する。これにより、シャッター板１６の上端部１６Ａの上下方向における位置を、遮断位置Ｈ１、開通位置Ｈ２および中間位置Ｈ３のいずれかに変更することができる。
【００３４】
なお、本発明の位置決め機構はカム板に限られない。本発明の位置決め機構は、シャッター板の上端部の上下方向における位置を遮断位置、開通位置および中間位置のいずれかに変更可能に決定することができれば、他の機構でもよい。例えば、位置決め機構をラックおよびピニオンにより構成することも可能である。
【００３５】
もっとも、位置決め機構をカム板１８により構成することにより、シャッター板１６の上端部１６Ａの上下方向における位置を、遮断位置Ｈ１、開通位置Ｈ２および中間位置Ｈ３のそれぞれに正確に決定することができる。すなわち、図５に示すように、カム溝２３の縁部２３Ａ、２３Ｂ、２３Ｃの上下方向の位置、例えば縁部２３Ａと縁部２３Ｃとの間の長さＭ１および縁部２３Ｂと縁部２３Ｃとの間の長さＭ２を適切に設定することにより、シャッター板１６の上端部１６Ａの上下方向における位置を上記３通りの位置Ｈ１ないしＨ３のそれぞれに正確に決定することができる。また、カム溝２３の縁部２３Ａ、２３Ｂ、２３Ｃの左右方向の長さＭ３、Ｍ４、Ｍ５をそれぞれ適切な長さに設定することにより、カム板１８の左右方向の移動によってシャッター板１６が上下方向に移動するタイミングを適切に設定することができる。
【００３６】
シャッター装置１５の動作は例えば次の通りである。まず、記録ディスク１が外からディスクドライブ１０内に挿入されるのを阻止すべきとき、または、記録ディスク１がディスクドライブ１０内から外に飛び出すのを防止すべきとき、シャッター装置１５は図２に示すように動作する。まず、カム板１８が左方向（図２では紙面の奥へと進む方向）に移動する。これにより、制御ピン２０がカム溝２３の縁部２３Ａに接する位置に移動する（図５参照）。これにより、シャッター板１６が支持板１７の支持溝２１に沿って上方向に移動する。そして、シャッター板１６の上端部１６Aの上下方向における位置が遮断位置Ｈ１に決定される。この結果、ディスク通路１４がシャッター板１６により遮られる。
【００３７】
このようにシャッター板１６が閉じた状態では、ユーザーが記録ディスクをディスクドライブ１０のスロット１３に挿入しようとしても、記録ディスクがシャッター板１６に当たるため、記録ディスクがディスクドライブ１０内に入らない。
【００３８】
また、例えば情報の読み取りまたは書き込みのためにディスクドライブ１０内で記録ディスクが高速回転しているときにディスク破損等の事故が発生すると、ディスクの破片などが遠心力によりディスクドライブ１０からディスク通路１４およびスロット１３を通って外に飛び出すおそれがある。しかし、シャッター板１６が閉じていれば、ディスクの破片がシャッター板１６に当たるため、ディスクの破片がスロット１３から外に飛び出すことがない。
【００３９】
このようなシャッター板１６の閉塞は、ディスクドライブ１０内に記録ディスク１が装着（クランプ）されてから、情報の読み取りまたは書き込みなどが終了しまたは中断されて記録ディスク１の回転が停止するまでの間、維持されることが望ましい。これを実現するために、カム板１８の左方向の移動をクランプ動作と同期させ、カム板１８の右方向の移動をクランプ解除動作と同期させることが望ましい。例えば、ターンテーブルと、これと向かい合う位置に設けられたクランパーとの間に記録ディスク１をクランプするために、ターンテーブルを持ち上げる構成をディスクドライブ１０が備えている場合には、このターンテーブルを持ち上げる動力を、カム板１８を左方向に移動させる動力に変換する。また、クランプを解除するために、ターンテーブルを下げる動力を、カム板１８を右方向に移動させる動力に変換する。これらの動力の生成には、モーターを利用してもよいし、ばねを利用してもよいし、ソレノイドを利用してもよい。また、これらの動力の変換には、カムを用いてもよいし、ラックおよびピニオンを用いてもよい。
【００４０】
次に、記録ディスク１のディスクドライブ１０内への挿入を許すべきとき、シャッター装置１５は図３に示すように動作する。まず、カム板１８が右方向（図３では紙面の手前へと進む方向）に移動する。これにより、制御ピン２０がカム溝２３の縁部２３Ｂに接する位置に移動する（図５参照）。これにより、シャッター板１６が支持板１７の支持溝２１に沿って下方向に移動する。そして、シャッター板１６の上端部１６Aの上下方向における位置が開通位置Ｈ２に決定される。この結果、ディスク通路１４は開通される。
【００４１】
このようにシャッター板１６が開いた状態では、ユーザーは記録ディスク１をディスクドライブ１０のスロット１３に挿入し、記録ディスク１をディスクドライブ１０内に装着することができる。スロット１３に挿入された記録ディスク１がディスク通路１４を通過するとき、記録ディスク１の下面１Ａとシャッター板１６の上端部１６Ａとは離れており、両者間には図３に示すように空隙ＳＰが形成される。したがって、記録ディスク１は、ディスク通路１４をスムーズに移動することができる。
【００４２】
このようなシャッター板１６の開放は、記録ディスク１がスロット１３への挿入が開始されてから、記録ディスク１がディスクドライブ１０内に完全に挿入されるまでの間、維持されることが望ましい。これを実現するために、記録ディスク１のスロット１３への挿入開始とカム板１８の右方向の移動とを同期させることが望ましい。例えば、記録ディスク１の挿入が開始されたことを検出し、この検出結果に基づいてカム板１８を右方向に移動させてもよい。また、ローディングアームが記録ディスク１の挿入に応じて開く動きを、カム板１８を右方向に移動させる動きに変換してもよい。この動力の変換には、カムを用いてもよいし、ラックおよびピニオンを用いてもよい。
【００４３】
あるいは、記録ディスク１がディスクドライブ１０から完全に取り出されてから、記録ディスク１がディスクドライブ１０内に完全に挿入されるまでの間、カム板１８を右方向に移動させた状態を維持してもよい。
【００４４】
次に、記録ディスク１をイジェクトするとき、シャッター装置１５は図４に示すように動作する。記録ディスク１をイジェクトする前の段階では、記録ディスク１はディスクドライブ１０内にクランプされている。さらにこの段階では、カム板１８は、制御ピン２０がカム溝２３の縁部２３Ａに接する位置に移動しており、これにより、シャッター板１６の上端部１６Ａは遮断位置Ｈ１にあり、シャッター板１６はディスク通路１４を遮断している（図２参照）。この状態で、記録ディスク１をイジェクトする旨の指示が発せられると、これに応じて、記録ディスク１のクランプが解除される。続いて、記録ディスク１は、例えばイジェクトアームなどのイジェクト機構により前方向に押され、ディスク通路１４を通ってスロット１３に向けて移動する。
【００４５】
記録ディスク１のクランプが解除された後、制御ピン２０がカム溝２３の縁部２３Cに接する位置となるようにカム板１８が右方向に移動する（図５参照）。これにより、シャッター板１６が支持板１７の支持溝２１に沿って下方向に移動する。そして、シャッター板１６の上端部１６Aの上下方向における位置が中間位置Ｈ２に決定される。
【００４６】
これにより、ディスク通路１４を前方向に移動している記録ディスク１の下面１Ａがシャッター板１６の上端部１６Ａと接触する。この接触により生じた摩擦力により、記録ディスク１の前方向の移動にブレーキがかかる。より具体的には、スロット１３の上側に位置する内縁部とシャッター板１６の上端部１６Ａとの間に記録ディスク１が挟まり、これにより、記録ディスク１の下面１Ａとシャッター板１６の上端部１６Ａとの間に、あるいは記録ディスク１の上面とスロット１３の上側に位置する内縁部との間に摩擦力が生じ、この摩擦力により、記録ディスク１の前方向の移動にブレーキがかかる。この結果、記録ディスク１がスロット１３近傍の適切な位置で停止する。
【００４７】
イジェクト時に記録ディスク１を停止させる適切な位置は、例えば、図６に示すように、記録ディスク１において、その表面面積のおよそ５分の３ないし４分の３程度に相当する部分がスロット１３から外に露出し、残りの部分がディスクドライブ１０内に留まっているような位置であることが望ましい。これにより、イジェクト時に、記録ディスク１がスロット１３から外へ脱落するのを防止することができ、かつ、ユーザーがイジェクトされた記録ディスク１を手で取り出しやすくすることができる。
【００４８】
このようなブレーキングのためのシャッター板１６の移動は、記録ディスク１がスロット１３近傍の適切な位置に移動した時にタイミングよく行うことが望ましい。これを実現するために、例えば、記録ディスク１のクランプが解除された直後、まず、制御ピン２０をカム溝２３の縁部２３Ｂに接するようにカム板１８を右方向に大きく移動させ、シャッター板１６の上端部１６Ａの位置を開通位置Ｈ２にし、続いて、記録ディスク１がスロット１３近傍の適切な位置に到達した時に、制御ピン２０をカム溝２３の縁部２３Ｃに接するようにカム板１８を左方向に移動させ、シャッター板１６の上端部１６Ａの位置を中間位置Ｈ３にすることが望ましい。記録ディスク１のクランプが解除された直後にシャッター板１６の上端部１６Ａをいったん開通位置Ｈ１にすることにより、記録ディスク１をスロット１３近傍の適切な位置へスムーズに前進させることができる。そして、記録ディスク１がスロット１３近傍の適切な位置に移動したタイミングを見計らって、シャッター板１６の上端部１６Ａを中間位置Ｈ３にすることにより、記録ディスク１をスロット１３近傍の適切な位置に正確に停止させることができる。なお、記録ディスク１がスロット１３近傍の適切な位置に到達したことは、例えばローディングアームの回動などに基づいて検出することができる。
【００４９】
以上説明した通り、シャッター装置１５では、イジェクト時にシャッター板１６の上下方向の位置を中間位置Ｈ３に決定し、シャッター板１６の上端部１６Ａをイジェクトされる記録ディスク１の下面１Ａに接触させる。これにより、イジェクトのために前方向に押し出される記録ディスク１にブレーキをかけることができ、記録ディスク１をスロット１３近傍の適切な位置に停止させることができる。
【００５０】
シャッター装置１５では、イジェクト時における記録ディスク１のブレーキングを、シャッター板１６と記録ディスク１との接触により実現している。これにより、シャッター装置１５に、その本来的機能、つまり記録ディスク１の挿入阻止および記録ディスク１の飛び出し防止といった機能のほかに、イジェクト時において記録ディスク１にブレーキをかけるという機能を併せ持たせることができる。したがって、記録ディスク１のブレーキングを実現しながらも、部品点数の増加を防止することができ、ディスクドライブ１０の小型化、薄型化、軽量化および製造コストの削減を図ることができる。
【００５１】
また、シャッター装置１５では、シャッター板１６と記録ディスク１との接触により発生する摩擦力を用いて、記録ディスク１にブレーキをかける。これにより、記録ディスク１のブレーキングを簡単な構成で実現することができる。
【００５２】
また、シャッター板１６の上端部１６Ａの上下方向における位置（中間位置Ｈ３）、記録ディスク１を前方向に押し出す力、およびシャッター板１６と記録ディスク１との接触強度などを調整することにより、記録ディスク１の適切な停止位置を簡単に設定することができ、かつ、設定した停止位置に記録ディスク１を正確に停止させることができる。
【００５３】
なお、上述したシャッター装置１５では、シャッター板１６を上下方向に移動させることにより、シャッター板１６の上端部１６Ａを、遮断位置Ｈ１、開通位置Ｈ２および中間位置Ｈ３のいずれかの位置に変更可能に決定する場合を例にあげた。しかし、本発明はこれに限られない。例えば、図７に示すディスクドライブ３０に搭載されたシャッター装置３１のように、シャッター板３２の支軸３３を支持板３４の支持穴３５に挿入することにより、シャッター板３２を回動可能に支持し、シャッター板３２を回動させることによってシャッター板３２の傾きを変化させ、これによりシャッター板３２の上端部３２Ａの上下方向における位置を、遮断位置Ｈ１、開通位置Ｈ２および中間位置Ｈ３のいずれかの位置に変更可能に決定してもよい。
【００５４】
あるいは、以下に述べる実施例のように、シャッター板の上下動と回動とを組み合わせることにより、シャッター板の上端部の上下方向における位置を遮断位置、開通位置および中間位置のいずれかの位置に変更可能に決定してもよい。これにより、シャッター板が上下方向に移動する範囲、またはシャッター板が回動する範囲を小さくすることができる。したがって、ディスクドライブの薄型化または小型化をよりいっそう促進させることができる。
【実施例】
【００５５】
以下、本発明の実施例について図面を参照しながら説明する。図８は、本発明の実施例であるシャッター装置を搭載したディスクドライブを示している。図９は、図８中のディスクドライブ５０を矢示Ｄ−Ｄ方向から見た拡大断面図であり、図１０は、図８中のディスクドライブ５０を矢示Ｅ−Ｅ方向から見た拡大断面図である。
【００５６】
図８中のディスクドライブ５０は、例えばＤＶＤ、ＣＤ、ブルーレイディスクなどの記録ディスクに対し、情報の読み取りまたは書き込みを行う装置である。ディスクドライブ５０は、記録ディスクを着脱することができるタイプであり、また、記録ディスクの着脱方式についてスロットイン方式を採用している。
【００５７】
図８に示すように、ディスクドライブ５０の外殻は、底板、左側壁板、右側壁板および後ろ側壁板を有するハウジングプレート５１と、ハウジングプレート５１の上側に取り付けられたカバープレート５２とから構成されている。ハウジングプレート５１およびカバープレート５２は例えば金属材料により形成されている。なお、説明の便宜上、図８では、カバープレート５２を、その一部を破断して取り除いた状態で示している。
【００５８】
また、ディスクドライブ５０の前側には、フロントカバー５３が取り付けられている。フロントカバー５３は例えば樹脂材料に形成されている。フロントカバー５３には、図９に示すように、左右方向に長いスロット５４が形成されている。
【００５９】
さらに、ディスクドライブ５０内には、図１０に示すように、スロット５４からハウジングプレート５１の後ろ側壁板に向けてディスク通路５５が形成されている。記録ディスクの着脱は、スロット５４およびディスク通路５５を通じて行われる。
【００６０】
ディスクドライブ５０内においてスロット５４近傍には、シャッター装置６０が設けられている。シャッター装置６０は、ディスク通路５５を開閉する機能と、イジェクト時に記録ディスクをスロット５４近傍の適切な位置に停止させる機能とを有する。シャッター装置６０は、シャッター板６１、２個の支持板６２、６２、２個のねじりコイルばね６３、６３、カム板６４および２個の回動阻止部７４、７４を備えている。
【００６１】
シャッター板６１は、例えば樹脂材料により形成され、上下方向に短く、左右方向に長く、厚みの薄い板である。
【００６２】
シャッター板６１の左側縁部の下側には支軸６５が設けられ、シャッター板６１の左側縁部の上側には突起６６が設けられ、これら左側の支軸６５および突起６６は、左方向にそれぞれ伸びている。シャッター板６１の右側縁部にも同様に、支軸６５および突起６６が設けられ、これら右側の支軸６５および突起６６は、右方向にそれぞれ伸びている。また、シャッター板６１の後面には、２本の制御ピン６７、６７が設けられ、これら制御ピン６７は後ろ方向に伸びている。各支軸６５、各突起６６および各制御ピン６７は、例えば樹脂成形によりシャッター板６１と一体的に形成されている。
【００６３】
また、シャッター板６１の上端部６１Ａには、例えばフェルトなどの柔らかい材料からなるシート６８が貼付されている。
【００６４】
支持板６２、６２は、シャッター板６１の左側および右側にそれぞれ配置されている。各支持板６２は、その下端がハウジングプレート５１の底板に固定されており、上端は上方向に立ち上がっている。支持板６２は、例えば折り曲げ加工により、ハウジングプレート５１と一体的に形成されている。
【００６５】
各支持板６２には、上下方向に長い支持穴６９が形成されている。左側の支持板６２の支持穴６９には、シャッター板６１の左側の支軸６５が前後方向にわずかな遊びをもって挿入されている。また、右側の支持板６２の支持穴６９には、シャッター板６１の右側の支軸６５が前後方向にわずかな遊びをもって挿入されている。これにより、支持板６２、６２は、シャッター板６１を上下方向に移動可能に、かつ回動可能に支持している。また、支持板６２、６２は、シャッター板６１が上下方向に限りスライドすることができるように、シャッター板６１のスライド方向を規制している。
【００６６】
ねじりコイルばね６３、６３は、シャッター板６１の左側および右側にそれぞれ設けられている。ハウジングプレート５１の底板上には、ばね支持台７０、７０が固定されており、各ねじりコイルばね６３の下端側は、このばね支持台７０に固定されている。各ねじりコイルばね６３の上端側は、シャッター板６１の後面に固定されている。各ねじりコイルばね６３のコイル部には、シャッター板６１の支軸６５が挿入されている。
【００６７】
図１１に示すように、各ねじりコイルばね６３は、シャッター板６１を矢示Ｄ１方向に付勢していると共に、シャッター板６１を矢示Ｄ２方向に付勢している。なお、シャッター板６１の矢示Ｄ１方向の回動は、制御ピン６７とカム溝７２との接触によって規制される。また、シャッター６１の矢示Ｄ２方向の移動は、支軸６５と支持溝６９との接触によって規制される。
【００６８】
カム板６４は、例えば金属材料により形成された薄い板である。カム板６４は、シャッター板６１の後ろ側に配置されている。ハウジングプレート５１にはガイド部材７１が固定されており、カム板６４はこのガイド部材７１により左右方向に移動可能に支持されている。
【００６９】
図１２に示すように、カム板６４には、２個のカム溝７２、７２が形成されている。各カム溝７２には、上下方向に位置が互いに異なる３個の縁部７２Ａ、７２Ｂ、７２Ｃが形成されている。また、縁部７２Ｃと対向する位置には縁部７２Ｄが形成されている。各カム溝７２には、シャッター板６１の制御ピン６７がわずかな遊びをもって嵌め込まれている。
【００７０】
また、図１０に示すように、カム板６４の下側は上下方向に立ち上がっているものの、カム板６４の上側は、ガイド部材７１の上端部を覆うように折れ曲がっており、後ろ方向に伸びている。そして、図８に示すように、カム板６４上側の左右方向中央部には連結部７３が形成されている。
【００７１】
回動阻止部７４、７４は、図９に示すように、シャッター板６１の左側上方および右側上方にそれぞれ配置されている。各回動阻止部７４は、例えば折り曲げ加工により、ハウジングプレート５１の壁板またはカバープレート５２に一体的に形成されている。
【００７２】
後に詳述するように、カム板６４が左右方向に移動することにより、シャッター板６１が上下方向に移動し、ディスク通路５５の開閉およびイジェクト時における記録ディスクのブレーキングが行われる。ディスクドライブ５０内には、このような動作のきっかけを作り出すのに貢献するいくつかの部材が設けられている。それらは、図８に示すように、２個のローディングアーム８１、８１、ラック板８２、制御レバー８３およびクランプバー８４などである。
【００７３】
ローディングアーム８１、８１は、シャッター装置６０の左側後方および右側後方にそれぞれ配置されている。各ローディングアーム８１は、軸８１Ａを中心にして図８中の矢示Ｄ３、Ｄ４方向に回動することができる。各ローディングアーム８１の内側端部上面にはローラー８５が設けられている。各ローラー８５はモーター（図示せず）により回転する。
【００７４】
また、各ローディングアーム８１の軸近傍部下面にはピニオン８６が固定されている。左側のピニオン８６は、小ピニオン８７を介してラック板８２のラック部８２Ａに噛合している。右側のピニオン８６は、ラック板８２のラック部８２Ａに直接噛合している。
【００７５】
ラック板８２は、ハウジングプレート５１の底板とローディングアーム８１、８１との間に、左右方向に移動可能に設けられている。ラック板８２の左側および右側には、ラック８２Ａがそれぞれ形成されている。また、ラック板８２の中央近傍には、カム溝８８が形成されている。図１３に示すように、カム溝８８には、前後方向に位置が互いに位置が異なる縁部８８Ａ、８８Ｂが形成されている。さらに、ラック板８２の中央近傍には、長溝８９が形成されている。
【００７６】
制御レバー８３は、ラック板８２上にわずかな空隙を介して設けられている。制御レバー８３は軸８３Ａを介してハウジングプレート５１の底板に回動可能に支持されている。軸８３Ａは、ラック板８２の長溝８９を、遊びをもって貫通している。これにより、制御レバー８３は、ラック板８２とは独立して回動することができ、ラック板８２が左右方向に移動しても、制御レバー８３の軸８３Ａは移動しない。また、制御レバー８３は、ねじりコイルばね（図示せず）などにより、図８において反時計回り方向に付勢されている。
【００７７】
さらに、図１３に示すように、制御レバー８３の前端部には、上方向に伸びる連結ピン９０が設けられている。連結ピン９０の先端部は、カム板６４の連結部７３にわずかな遊びをもって挿入されている。また、制御レバー８３の後端部には、上方向に伸びるアッパーピン９１が設けられている。さらに、制御レバー８３には、下方向に伸びるロワーピン９２が設けられている。ロワーピン９２の先端部は、ラック板８２のカム溝８８に挿入されている。
【００７８】
クランクバー８４は、ラック板８２の後ろ側に配置されており、図１３に示すように、前方向に伸びる突起９３を備えている。
【００７９】
さらに、ディスクドライブ５０は、ターンテーブル９４のほか、クランプ機構、イジェクト機構および光ピックアップ（いずれも図示せず）などを備えている。
【００８０】
シャッター装置６０は例えば次のように動作する。まず、記録ディスクがディスクドライブ５０に挿入されていないときには、図８に示すように、ローディングアーム８１は、ローラー８５が設けられた内側端部が互いに向かい合うような位置で停止している。この状態が初期状態である。
【００８１】
このような初期状態では、図１３に示すように、制御レバー８３のロワーピン９２がラック板８２のカム溝８８の縁部８８Ａに接している。また、制御レバー８３のアッパーピン９１とクランクバー８４の突起９３とが互いに離れている。この結果、制御レバー８３の連結ピン９０が図１３中の位置Ｐ１に位置しており、これによりカム板６４の連結部７３も位置Ｐ１に位置している。
【００８２】
カム板６４がこのような位置にあるときには、図９に示すように、シャッター板６１の制御ピン６７がカム板６４のカム溝７２の縁部７２Ｂに接している。この結果、シャッター板６１の上端部６１Ａは図９中の中間位置Ｑ１に位置している。
【００８３】
このとき、図１０に示すように、シャッター板６１の突起６６は、回動阻止部７４から離れており、かつ、制御ピン６７の下側には障害物がない。この結果、シャッター板６１は、ねじりコイルばね６３の付勢力に抗してディスクドライブ５０の奥（後ろ側）に向けて回動することができる。例えば、ユーザーが記録ディスクをスロット５４に挿入し、記録ディスクを通じてシャッター板６１を押せば、シャッター板６１は容易に後ろ側に倒れ込む。
【００８４】
次に、ユーザーが記録ディスクをスロット５４からディスクドライブ５０内に挿入すると、記録ディスクの周縁部によりシャッター板６１が押され、シャッター板６１が後ろ側に倒れ込む。そして、記録ディスクの周縁部がディスク通路５５に進入し、記録ディスクの周縁部が各ローラー８５に嵌る。さらに、ユーザーが記録ディスクをディスクドライブ５０内に軽く押し込むと、この力により、各ローディングアーム８１が初期状態の位置から図８中の矢示Ｄ３方向に回動する。この回動は、ピニオン８６、小ピニオン８７およびラック８２Ａを介してラック板８２に伝わり、これによりラック板８２が左方向に移動する。このラック板８２の移動をきっかけに、図示しないモーターが始動し、各ローラー８５が回転を開始する。これにより、記録ディスクは、ディスク通路５５を通じてディスクドライブ５０内を後ろ方向に移動する。これにより、記録ディスクが自動的にディスクドライブ５０内に引き込まれていく。
【００８５】
記録ディスクが後ろ方向に移動するに従って、各ローディングアーム８１が矢示Ｄ３方向にさらに回動し、これに従ってラック板８２が左方向にさらに移動する。そして、図１４に示すように、制御レバー８３のロワーピン９２がラック板８２のカム溝８８の縁部８８Ｂに接するようになる。これにより、制御レバー８３が軸８３Ａを中心に反時計回りに回動する。この回動により、制御レバー８３の連結ピン９０が図１４中の位置Ｐ２に移動し、カム板６４の連結部７３も位置Ｐ２に移動し、この結果、カム板６４が右方向に移動する。カム板６４が右方向に移動すると、図１５に示すように、シャッター板６１の制御ピン６７がカム板６４のカム溝７２の縁部７２Ａに接するようになる。これにより、シャッター板６１が下方向に移動し、シャッター板６１の上端部６１Ａが図１５中の開通位置Ｑ２に移動する。これにより、シャッター板６１は、後ろ方向に移動中の記録ディスクから離れ、シャッター板６１はハウジングプレート５１に対しほぼ垂直となるように立ち直る。そして、記録ディスクは、ローラー８５の回転により、シャッター板６１の上端部６１Ａの上方をスムーズに通過する。
【００８６】
次に、ディスクドライブ５０内に挿入された記録ディスクが後ろ方向に移動し、この記録ディスクの中心がターンテーブル９４の中央に一致すると、クランプ動作が開始される。クランプ動作により、クランプバー８４が図１７に示すように右方向に移動し、クランプバー８４の突起９３が制御レバー８３のアッパーピン９１を右方向に押す。これにより、制御レバー８３が時計回りに回動する。この回動により、制御レバー８３の連結ピン９０が図１７中の位置Ｐ３に移動し、カム板６４の連結部７３も位置Ｐ３に移動し、この結果、カム板６４が左方向に大きく移動する。カム板６４が左方向に大きく移動すると、図１８に示すように、シャッター板６１の制御ピン６７がカム板６４のカム溝７２の縁部７２Ｃに接するようになる。これにより、シャッター板６１が上方向に移動し、シャッター板６１の上端部６１Ａが図１８中の開通位置Ｑ３に移動する。
【００８７】
このとき、図１９に示すように、シャッター板６１の突起６６は、回動阻止部７４と重なり合う。また、図１８に示すように、制御ピン６７の下側には、カム溝７２の下側縁部７２Ｄが存在し、これが障害物となる。この結果、シャッター板６１は、ディスクドライブ５０の奥（後ろ側）に向けて回動することができない。このとき、ユーザーが他の記録ディスクをスロット５４に挿入しようとしても、当該他の記録ディスクの周縁部が、回動不能状態のシャッター板６１に当たり、当該他の記録ディスクの挿入が阻止される。
【００８８】
次に、記録ディスクをイジェクトすべき旨の指示が発せられ、これに応じて記録ディスクのクランプが解除されると、クランプバー８４が左方向に移動する。クランプバー８４が左方向に移動すると、図示しないねじりコイルばねの付勢力により、制御レバー８３が反時計回りに回動する。この結果、制御レバー８３の位置が、図１７に示す状態から図１４に示す状態に戻る。そして、制御レバー８３の連結ピン９０が図１４中の位置Ｐ２に移動し、これに連動してシャッター板６１が図１５中の開通位置Ｑ２に移動する。
【００８９】
この直後、イジェクト機構により、ディスクドライブ５０内の記録ディスクが前方向に押し出される。このとき、図示しないモーターにより各ローラー８５が、記録ディスクのローディング時と反対の方向に回転する。これにより、記録ディスクはディスク通路５５内を前方向に移動する。記録ディスクが前方向に移動するに従って、各ローディングアーム８１が矢示Ｄ４方向に回動し、これに従ってラック板８２が右方向に移動する。そして、図１３に示すように、制御レバー８３のロワーピン９２がラック板８２のカム溝８８の縁部８８Ａに接するようになる。これにより、制御レバー８３が軸８３Ａを中心に時計回りに回動する。この回動により、制御レバー８３の連結ピン９０が位置Ｐ１に移動し、カム板６４の連結部７３も位置Ｐ１に移動し、この結果、カム板６４が左方向に移動する。カム板６４が左方向に移動すると、図９に示すように、シャッター板６１の制御ピン６７がカム板６４のカム溝７２の縁部７２Ｂに接する。これにより、シャッター板６１が上方向に移動し、シャッター板６１の上端部６１Ａが図９中の中間位置Ｑ１に移動する。これにより、ディスク通路５５を前方向に移動中の記録ディスクの下面に、シャッター板６１の上端部６１Ａが接触する。この接触により、スロット５４の上側内縁部またはローラー８５の上側フランジ部と、シャッター板６１の上端部６１Ａとの間に記録ディスクが挟まれる。この結果、摩擦力により記録ディスクにブレーキがかかり、記録ディスクがスロット５４近傍の適切な位置に停止する。
【００９０】
シャッター板６１の上端部６１Ａが中間位置Ｑ１で記録ディスク１の下面１Ａに接触するときには、ねじりコイルばね６３による上方向の付勢力が働く。すなわち、シャッター板６１の上端部６１Ａが中間位置Ｑ１にあるとき、シャッター板６１Ａは、ねじりコイルばね６３の上方向の付勢力により、制御ピン６７がカム溝７２の縁部７２Ｂに接するまで持ち上げられている。しかし、シャッター板６１の上端部６１Ａに下方向の力を加えることにより、ねじりコイルばね６３の付勢力に抗してシャッター板６１を下方向に移動させることができる。図９および図１２に示すように、制御ピン６７がカム溝７２の縁部７２Ｂに接しているときには、制御ピン６７の下側に障害物がないので、シャッター板６１に下方向の力が加わったときには、制御ピン６７は縁部７２Ｂを離れ、シャッター板６１と共に下方向に移動することができる。この結果、シャッター板６１の上端部６１Ａは、上下方向の弾性力をもって記録ディスク１の下面１Ａに接触することができ、これにより適切なブレーキング力を作り出すことができる。つまり、上端部１６Ａと下面１Ａとの接触時には、厳密には、シャッター板６１の上端部６１Ａは中間位置Ｑ１よりもわずかに下側の位置で記録ディスク１の下面１Ａに接触し、ねじりコイルばね６３の付勢力により上端部６１Ａが下面１Ａを上方向に押し上げる状態となる。
【００９１】
なお、シャッター板６１の上端部６１Ａが中間位置Ｑ１に移動するのとほぼ同時に、各ローラーの回転が停止する。ローラーの回転が停止するタイミングは、イジェクト機構を構成するモーター、ギア列、ローラーなどの駆動要素の時定数によってばらつきが生じる場合がある。しかし、記録ディスクの停止位置の決定を主に支配しているのは、ローラーの回転停止ではなく、シャッター板６１と記録ディスクとの接触である。このため、ローラーの回転停止のタイミングのばらつきがあっても、記録ディスクの停止位置が大幅にずれることはない。
【００９２】
以上説明した通り、シャッター装置６０によれば、イジェクト時において前方向に押し出される記録ディスクにブレーキをかけることができ、記録ディスクをスロット５４近傍の適切な位置に停止させることができる。特に、シャッター装置６０では、記録ディスクのブレーキングを、シャッター板６１と記録ディスクとの接触により実現している。すなわち、シャッター板６１に、ディスク通路５５の開閉機能と記録ディスクのブレーキング機能とを兼用させている。これにより、記録ディスクのブレーキングを実現しながら、部品点数の増加を防止でき、ディスクドライブ５０の小型化、薄型化、軽量化および製造コストの削減を図ることができる。
【００９３】
また、シャッター装置６０では、シャッター板６１と記録ディスクとの接触により発生する摩擦力を用いて、記録ディスクを停止させる。これにより、記録ディスクの停止を簡単な構成で実現することができる。
【００９４】
また、シャッター板６１の上端部６１Ａの上下方向における位置（中間位置Ｑ１）、記録ディスクを前方向に押し出す力、およびシャッター板６１と記録ディスクとの接触強度などを調整することにより、記録ディスクの適切な停止位置を簡単に設定することができ、かつ、設定した停止位置に記録ディスクを正確に停止させることができる。
【００９５】
なお、上述した実施例では、図２０に示すように、シャッター板６１の上端部６１Aを均一な高さを有する形状とし、イジェクト時には記録ディスク１の下面１Ａの中央部分から周縁部分にかけて上端部６１Ａが接触する場合を例にあげた。しかし、本発明はこれに限られない。図２１に示すように、シャッター１６１の左側上端部１６１Aと右側上端１６１Ａとを左右方向中央に向けてそれぞれ下向きに傾斜させると共に、シャッター板１６１の上側中央部には凹部１６１Ｂを設けてもよい。これにより、イジェクト時には、シャッター板１６１の左側上端部１６１Ａと右側上端部１６１Ａとに、記録ディスク１の周縁部下側のエッジ部分だけが接触するので、記録ディスク１の下面１Ａに傷が付くのを防止することができる。
【００９６】
また、本発明は、請求の範囲および明細書全体から読み取るこのできる発明の要旨または思想に反しない範囲で適宜変更可能であり、そのような変更を伴うシャッター装置もまた本発明の技術思想に含まれる。
【図面の簡単な説明】
【００９７】
【図１】本発明の実施形態であるシャッター装置が搭載されたディスクドライブおよび記録ディスクを示す斜視図である。
【図２】図１中のディスクドライブを矢示Ａ−Ａ方向から見た断面図である。
【図３】シャッター板が開通位置にある状態のシャッター装置などを示す断面図である。
【図４】シャッター板が中間位置にある状態のシャッター装置などを示す断面図である。
【図５】図２中のカムプレートを矢示Ｂ−Ｂ方向から見た拡大正面図である。
【図６】イジェクト時において記録ディスクが適切な停止位置で停止した状態を示す斜視図である。
【図７】本発明の他の実施形態のシャッター装置が搭載されたディスクドライブを示す断面図である。
【図８】本発明の実施例であるシャッター装置が搭載されたディスクドライブを、ハウジングのカバープレートの一部を取り除いた状態で示す平面図である。
【図９】図８中のシャッター装置を矢示Ｄ−Ｄ方向から見た拡大断面図である。
【図１０】図８中のシャッター装置を矢示Ｅ−Ｅ方向から見た拡大断面図である。
【図１１】図８中のシャッター板およびねじりコイルばねなどを拡大して示す断面図である。
【図１２】図８中のカム板を示す正面図である。
【図１３】図８中のカム板、ラック板、制御レバーおよびクランクバーの第１状態（初期状態）を示す拡大平面図である。
【図１４】図８中のカム板、ラック板、制御レバーおよびクランクバーの第２状態を示す拡大平面図である。
【図１５】図１４中の第２状態下におけるシャッター装置を示す正面図である。
【図１６】図１４中の第２状態下におけるシャッター装置を示す断面図である。
【図１７】図８中のカム板、ラック板、制御レバーおよびクランクバーの第３状態を示す拡大平面図である。
【図１８】図１４中の第３状態下におけるシャッター装置を示す正面図である。
【図１９】図１４中の第３状態下におけるシャッター装置を示す断面図である。
【図２０】図８中のシャッター板を示す正面図である。
【図２１】シャッター板の変形例を示す正面図である。
【符号の説明】
【００９８】
１  記録ディスク
１０、３０、５０  ディスクドライブ
１４、５５  ディスク通路
１５、３１、６０  シャッター装置
１６、３２、６１  シャッター板
１７、３４、６２  支持板
１８、６４  カム板
１９  支持突部
２１、６９  支持溝
２３、７２  カム溝
２３Ａ、２３Ｂ、２３Ｃ、７２Ａ、７２Ｂ、７２Ｃ  縁部
３３、６５  支軸
３５  支持穴
７４  回動阻止部
【図１】
2007102882.tif 000003
【図２】
2007102882.tif 000004
【図３】
2007102882.tif 000005
【図４】
2007102882.tif 000006
【図５】
2007102882.tif 000007
【図６】
2007102882.tif 000008
【図７】
2007102882.tif 000009
【図８】
2007102882.tif 000010
【図９】
2007102882.tif 000011
【図１０】
2007102882.tif 000012
【図１１】
2007102882.tif 000013
【図１２】
2007102882.tif 000014
【図１３】
2007102882.tif 000015
【図１４】
2007102882.tif 000016
【図１５】
2007102882.tif 000017
【図１６】
2007102882.tif 000018
【図１７】
2007102882.tif 000019
【図１８】
2007102882.tif 000020
【図１９】
2007102882.tif 000021
【図２０】
2007102882.tif 000022
【図２１】
2007102882.tif 000023